(57)【要約】      （修正有）【課題】技術や力を必要とせずに誰でも容易に薪を割ることができる薪割り刃を提供する。【解決手段】薪割り用の斧に用いられる刃であって、刃先部２と、刃先部２に連続して設けられ柄１０１が貫通する胴体部３とを備え、胴体部３は略直方体形状をなし、刃先部２と対向する背面３ａの水平方向の長さが鉛直方向の長さよりも長くなるように構成されている。【選択図】図１
0003222957.tif 000002
【実用新案登録請求の範囲】
【請求項１】
薪割り用の斧に用いられる刃であって、
刃先部と、前記刃先部に連続して設けられ柄が貫通する胴体部とを備え、
前記胴体部は略直方体形状をなし、前記刃先部と対向する背面の水平方向の長さが鉛直方向の長さよりも長くなるように構成されていることを特徴とする薪割り刃。
【請求項２】
前記背面の水平方向の長さに対する鉛直方向の長さの比率が１．１〜５．０であることを特徴とする請求項１記載の薪割り刃。
【請求項３】
前記柄の軸方向において、前記刃先部は前記胴体部よりも長くなるように構成されていることを特徴とする請求項１又は２のいずれかに記載の薪割り刃。
【請求項４】
前記刃先部は鋼で構成されることを特徴とする請求項１、２又は３のいずれかに記載の薪割り刃。
【考案の詳細な説明】
【技術分野】
【０００１】
本考案は薪割り斧に用いられる薪割り刃に関する。
【背景技術】
【０００２】
一般的に薪割り刃として用いられているものとして、例えば非特許文献１記載のものがある。この薪割り刃は、側面視扇型に広がる先端部分と、この先端部分と連続して構成され柄が挿入して配置される胴体部分とを備える。
【先行技術文献】
【特許文献】
【０００３】
【非特許文献１】ハンドアックス，ＨＲ−７，公式サイト，ダッチウエストジャパン株式会社，〔ｏｎｌｉｎｅ〕，〔令和元年６月１７日検索〕，インターネット
【考案の概要】
【考案が解決しようとする課題】
【０００４】
しかしながら、上述したような一般的に用いられている薪割り刃では、薪に刃を入れた後に何度も刃を入れないと薪を割くことができないため、作業者に熟練した技術が求められ、簡便に薪割りを行うことができないという問題がある。
【０００５】
本考案は上述した問題を解決するためになされたものであって、熟練した技術を必要とせず、誰でも簡便に薪割りを行うことができる薪割り刃を提供することをその主たる目的とする。
【課題を解決するための手段】
【０００６】
本考案の薪割り刃は、薪割り用の斧に用いられる刃であって、刃先部と、前記刃先部に連続して設けられ柄が貫通する胴体部とを備え、前記胴体部は略直方体形状をなし、前記刃先部と対向する背面の水平方向の長さが鉛直方向の長さよりも長くなるように構成されていることを特徴とする。
【０００７】
上述の構成により、刃先部と対向する胴体部の背面の水平方向の長さが鉛直方向の長さよりも長くなるように構成されていることから、胴体部と薪との接触面積を減らして胴体部と薪との摩擦を低減することができる。これにより、薪割りのために作業者が薪割り刃に加えた力が該摩擦によって削がれることなく薪に加えられるため、従来の薪割り刃よりも深く薪割り刃が薪に刺さり、何度も薪割り刃を薪に入れる必要がなく薪を割ることができる。そのため、熟練した技術がない作業者であっても容易に薪を割ることができる。
【０００８】
また、胴体部の刃先部と対向する背面の水平方向の長さが鉛直方向の長さよりも長くなるように構成されることから、胴体部が横幅を備えるため、刃を薪に入れたときに胴体部の横幅によって薪が割け、より容易に薪割りを行うことができる。
【０００９】
本考案の具体的な一実施形態としては、前記背面の水平方向の長さに対する鉛直方向の長さの比率が１．１〜５．０であるものを挙げることができる。
【００１０】
本考案の具体的な一実施形態としては、前記柄の軸方向において、前記刃先部は前記胴体部よりも長くなるように構成されているものを挙げることができる。
【００１１】
上述の構成により、本発明の薪割り刃が装着された斧を振り下ろした際に柄に薪があたって柄が折れることを防止できる。
【００１２】
本考案の具体的な一実施形態としては、前記刃先部は鋼で構成されるものを挙げることができる。
【００１３】
上述の構成により、本発明の薪割り刃は刃先部がより容易に薪に入るため、簡便に薪割りを行うことができる。
【考案の効果】
【００１４】
本考案の薪割り刃によれば、熟練した技術を必要とせずに誰でも容易に薪を割ることができる。
【図面の簡単な説明】
【００１５】
【図１】本考案の薪割り刃を用いた斧の側面図。
【図２】本考案の薪割り刃の平面図。
【図３】本考案の薪割り刃の正面図。
【図４】本考案の薪割り刃の背面図。
【図５】本考案の薪割り刃の底面図。
【考案を実施するための形態】
【００１６】
本考案の薪割り刃について、以下図面を参照しながら詳細に説明する。
【００１７】
本考案の薪割り刃１は、図１〜図５に示すように、刃先部２と、刃先部２に連続して設けられ柄１０１が貫通する胴体部３とを備える。この薪割り刃１は約１．８キログラム程度の重量を有するものである。以下では柄１０１の軸方向を鉛直方向とし、この鉛直方向と直交する方向を水平方向とする。
【００１８】
刃先部２は、先端が鋼で構成されており刃本体を構成する鉄と鍛接されている。刃先部２は図１に示すように平面視略扇形状をなしており、先端が鋭角をなすとともに胴体部３に向かって上面の幅が広がるように構成されている。以下では説明のため、この幅方向を横水平方向と記載する。
【００１９】
胴体部３は、図１に示すように、刃先部２と連続して一体となるように構成されている。この胴体部３は略直方体形状をなし、刃先部２と対向する背面３ａの横水平方向の長さが鉛直方向の長さよりも長く構成されている。そのため、図４に示すように、背面視において胴体部３の背面３ａは横長の矩形状をなす。
【００２０】
より具体的には、背面３ａの横水平方向の長さに対する鉛直方向の長さの比率が１．１〜５．０となるように構成され、好ましくは１．１〜３．０となるように構成される。また、図２に示すように、胴体部３の略中央部には柄１０１を挿入するための孔部１００が設けられているが、背面３ａの横水平方向の長さは、孔部１００の横水平方向の長さよりも十分に長く構成されている。これにより、背面３ａの横水平方向の長さは、孔部１００に挿入される柄１０１の横水平方向の長さよりも十分に長くなる。
【００２１】
また、図２に示すように、胴体部３の背面３ａの鉛直方向の長さは、刃先部２の鋭角をなす先端の鉛直方向の長さに比べて短くなるように構成されている。
【００２２】
上述のように構成された本考案の薪割り刃１は、胴体部３の刃先部２と対向する背面３ａの水平方向の長さが鉛直方向の長さよりも長くなるように構成されていることから、本実施形態の薪割り刃１を装着した斧によって薪を割る際に、胴体部３と薪との接触面積が減り胴体部３と薪との摩擦を低減することができる。これにより、薪割りのために作業者が薪割り刃に加えた力が削がれることなく薪を割るための力として加えられるため、より容易に薪を割ることができる。
【００２３】
また、胴体部３の刃先部２と対向する背面の水平方向の長さが鉛直方向の長さよりも長くなるように構成されることから、薪割り刃１を薪に入れたときに胴体部３の横幅によって薪が割け、より容易に薪割りを行うことができる。
【００２４】
さらに、柄１０１の軸方向において、刃先部２の先端の長さは胴体部３の長さよりも長くなるように構成されており、薪が柄１０１にあたることにより柄１０１が折れることを防止できる。また、本実施形態の薪割り刃１を装着した斧を用いて刃先部２が切り込んだ薪表面の切断面は胴体部３の鉛直方向をなす縦断面よりも大きくなるので、より胴体部３と薪との接触部分を減らして摩擦を低減することができる。
【００２５】
加えて、刃先部２の鋭利な先端が鋼で構成されているのでより容易に薪に刃を入れることが可能となる。
【００２６】
本考案は、その趣旨を逸脱しない範囲で当業者の知識に基づいて種々なる改良、修正、又は変形を加えた態様でも実施できる。また、同一の作用又は効果が生じる範囲内で、何れかの考案特定事項を他の技術に置換した形態で実施しても良い。
【符号の説明】
【００２７】
１・・・薪割り刃
２・・・刃先部
３・・・胴体部
３ａ・・・背面
１００・・・孔部
１０１・・・柄
【図１】
0003222957.tif 000003
【図２】
0003222957.tif 000004
【図３】
0003222957.tif 000005
【図４】
0003222957.tif 000006
【図５】
0003222957.tif 000007